(57)【要約】【課題】墓参者が、お墓の故人と何らかのコミュニケーションが取れたように感じられるようにする。【解決手段】墓石に取り付けられる透明体１２は、当該透明体１２が墓石に取り付けられた際に外側に位置する表面１２０と、表面１２０に対向する裏面１２２と、を有し、裏面１２２には、情報を表示する情報表示物１２４が設けられ、表面１２０において少なくとも情報表示物１２４が対向する領域は、曇りガラス状に形成されている。【選択図】図２
2017078323.tif 000002
【特許請求の範囲】
【請求項１】
墓石に取り付けられる透明体であって、
前記透明体が前記墓石に取り付けられた際に外側に位置する表面と、
前記表面に対向する裏面と、
を有し、
前記裏面には、情報を表示する情報表示物が設けられ、
前記表面において少なくとも前記情報表示物と対向する領域は、曇りガラス状に形成されている、透明体。
【請求項２】
前記透明体は、厚みが増すことで透明度が変化するガラス板である、請求項１に記載の透明体。
【請求項３】
前記裏面において少なくとも情報表示物が設けられている部分には、覆い部材が接着されている、請求項１又は２に記載の透明体。
【請求項４】
前記覆い部材は、樹脂製又は金属製である、請求項３に記載の透明体。
【請求項５】
前記覆い部材には、白色よりも明度の低い色が着色されている、請求項３又は請求項４に記載の透明体。
【請求項６】
前記情報表示物が表示する情報は、前記墓参者宛のメッセージを含む、請求項１乃至５の何れか１項に記載の透明体。
【請求項７】
前記情報表示物が表示する情報は、人物の顔情報を含む、請求項１乃至６の何れか１項に記載の透明体。
【請求項８】
前記ガラス板は、２０ｍｍ以上の厚みを有する、請求項２に記載の透明体。
【請求項９】
請求項１乃至８の何れか１項に記載の透明体と、
外表面に穴部を有し、前記穴部に前記透明体が前記表面を外側にして嵌め込まれている墓石本体と、を備える墓石。
【請求項１０】
前記墓石本体には、前記透明体よりも上方に筒落としが設けられている、請求項９に記載の墓石。
【請求項１１】
墓石に取り付けられる透明体の製造方法であって、
複数枚のガラス板素材を型に入れて加熱し、１枚のガラス板を得る工程と、
前記ガラス板において前記型と非接触な面に情報を表示する情報表示物を設けると共に、前記ガラス板において前記型に接触した面を曇りガラス状にする工程と、
を有する透明体の製造方法。
【発明の詳細な説明】
【技術分野】
【０００１】
本発明は、墓石に取り付けられる透明体及び当該透明体が取り付けられた墓石並びに透明体の製造方法に関する。
【背景技術】
【０００２】
この種の墓石としては、下記特許文献１に記載の墓石がある。下記特許文献１には、墓石本体の全面の任意の位置に、文字や図柄などを彫り込んだガラス板体を取り付けた墓石が開示されている。
【先行技術文献】
【特許文献】
【０００３】
【特許文献１】特開２００１−４９９０１号公報
【発明の概要】
【発明が解決しようとする課題】
【０００４】
ところで、発明者らは、お墓を訪れる墓参者が、お墓の故人と何らかのコミュニケーションが取れたかのように感じられるようにしたいと考えている。上記特許文献１に記載の墓石では、上記文字や図柄が単に表示されているだけであり、故人とのコミュニケーションを感じることは難しい。
【０００５】
本発明はこのような課題に鑑みてなされたものであり、その目的は、墓参者が、お墓の故人と何らかのコミュニケーションが取れたように感じられるようにする透明体及び墓石を提供することにある。
【課題を解決するための手段】
【０００６】
上記課題を解決するために本発明者らは、墓参者には墓石に水などの液体を掛けるという作法があることに着目し、本発明はかかる着目に基づいて完成されたものである。すなわち、本発明の透明体は、墓石に取り付けられる透明体であって、透明体が墓石に取り付けられた際に外側に位置する表面と、表面に対向する裏面と、を有し、裏面には、情報を表示する情報表示物が設けられ、表面において少なくとも情報表示物と対向する領域は、曇りガラス状に形成されている。
【０００７】
この構成によれば、表面において少なくとも情報表示物と対向する領域が曇りガラス状にされているので、表面側から見たときに情報表示物が遮蔽され、墓参者により、曇りガラス状にされた領域に液体が掛けられると、当該領域の透明度が増して、領域と対向する裏面まで透けて情報表示物が見えるようになる。すなわち、墓参者が作法に従って墓石に液体をかけると、墓の故人があたかもそれに応えたかのように情報表示物が現れる。よって、墓参者は、お墓の故人と何らかのコミュニケーションが取れたように感じることができる。また、墓石には墓参者により液体が掛けられる作法があるので、その作法により墓石と共に透明体の表面も濡れることで、液体を掛けた墓参者だけに情報表示物を視認させることができ、不特定の人物に情報表示物が視認されることを抑制できる。
【０００８】
好ましくは、透明体は、厚みが増すことで透明度が変化するガラス板である。
【０００９】
一般的に、ガラス板には、厚みが増すことで透明度が変化するフロートガラス等のガラス板と、厚みが増すことで透明度が変化しない高透化ガラス板と、がある。
【００１０】
上記構成によれば、厚みが増すことで透明度が変化するガラス板を採用することで、その厚みを変化させて、情報表示物の遮蔽性を高めることができる。
【００１１】
好ましくは、裏面において少なくとも情報表示物が設けられている部分には、覆い部材が接着されている。
【００１２】
この構成によれば、墓石に液体が掛けられたときに、透明体の表面だけでなく裏面まで濡れることを防ぐことができる。この結果、裏面が液体に濡れて情報表示物が透けて視認できなくなることを抑制することができる。
【００１３】
好ましくは、覆い部材は、樹脂製又は金属製である。
【００１４】
この構成によれば、覆い部材がガラス板である場合に比べて、材料コストを安くすることができる。また、覆い部材が樹脂の場合は、水や湿気による覆い部材の錆の発生を抑制できる。また、覆い部材が金属の場合は、透明体全体の剛性をより高めることができる。
【００１５】
好ましくは、覆い部材には、白色よりも明度の低い色が着色されている。
【００１６】
この構成によれば、情報表示物の背景が白色よりも明度の低い色となるので、表面が濡れた際の情報表示物が際立ち、情報表示物の視認性を高めることができる。
【００１７】
好ましくは、情報表示物が表示する情報は、墓参者宛のメッセージを含む。
【００１８】
上記構成によれば、墓参者が、墓参者宛のメッセージを読むことで、お墓の故人と何らかのコミュニケーションが一層取れたように感じることができる。
【００１９】
好ましくは、情報表示物が表示する情報は、人物の顔情報を含む。
【００２０】
上記構成によれば、墓参者が、人物の顔情報を見ることで、お墓の故人と何らかのコミュニケーションが取れたように感じることができる。
【００２１】
好ましくは、ガラス板は、２０ｍｍ以上の厚みを有する。
【００２２】
この構成によれば、情報表示物の遮蔽性をさらに高めることができる。
【００２３】
また、本発明の墓石は、上記何れか１つの透明体と、外表面に穴部を有し、穴部に透明体が表面を外側にして嵌め込まれている墓石本体と、を備える。
【００２４】
この構成によれば、透明体の裏面だけでなく側面も覆われるため、情報表示物に光が意図しない方向から当たって情報表示物の視認性が悪化することを抑制できる。
【００２５】
好ましくは、墓石本体には、透明体よりも上方に筒落としが設けられている。
【００２６】
この構成によれば、筒落としを設けることで、墓参者に対して積極的に水を掛けさせることができる。この結果、墓参者の前で、筒落としから水が溢れ出すと、筒落としの下方にある透明体の領域を積極的に濡らすことができる。
【００２７】
また、本発明の墓石に取り付けられる透明体の製造方法は、墓石に取り付けられる透明体の製造方法であって、複数枚のガラス板素材を型に入れて加熱し、１枚のガラス板を得る工程と、ガラス板において型と非接触な面に情報を表示する情報表示物を設けると共に、ガラス板において型に接触した面を曇りガラス状にする工程と、を有する。
【００２８】
この構成において、加熱を行う工程が実施された後に得られる１枚のガラス板において、型と非接触な面は型と接触した面に比べて綺麗に仕上がっている。上記構成によれば、この綺麗に仕上がった面に情報表示物を設けるので、情報表示物を設ける面を加工することなく、情報表示物を明確に表示することができる。
【発明の効果】
【００２９】
本発明によれば、墓参者が、お墓の故人と何らかのコミュニケーションが取れたように感じることができる。
【図面の簡単な説明】
【００３０】
【図１】図１は、本発明の第１実施形態に係る墓石の斜視図である。
【図２】図２は、本発明の第１実施形態に係る透明体の斜視図である。（Ａ）は透明体の表面側を表している。（Ｂ）は透明体の裏面側を表している。
【図３】図３は、図１に示す墓石において、透明体が液体で濡れた状態を示す図である。
【図４】図４は、本発明の実施の形態に係る墓石の製造方法の各工程を示す図である。（Ａ）は最初の工程を示している。（Ｂ）は（Ａ）に示す工程から続く工程を示している。（Ｃ）は（Ｂ）に示す工程から続く工程を示している。
【図５】図５は、本発明の実施の形態に係る墓石の製造方法の各工程を示す図である。（Ａ）は図４（Ｃ）から続く工程を示している。（Ｂ）は（Ａ）に示す工程から続く工程を示している。（Ｃ）は（Ｂ）に示す工程から続く工程を示している。
【図６】図６は、本発明の第２実施形態に係る取付体の取付例を示す図である。
【発明を実施するための形態】
【００３１】
以下、添付図面を参照しながら本発明の実施形態について説明する。説明の理解を容易にするため、各図面において同一の構成要素に対しては可能な限り同一の符号を付して、重複する説明は省略する。
【００３２】
＜第１実施形態＞
図１乃至図３を参照しながら、本発明の第１実施形態に係る墓石１０の構成について説明する。
【００３３】
図１に示されるように、墓石１０は、花立用に用いられている。ただし、墓石１０は、花立用に限定されず、お墓用や墓誌用などお墓に関するものに用いられていればよい。
【００３４】
墓石１０は、墓石本体１１と、透明体１２と、筒落とし１３と、花立筒１４と、を備える。
【００３５】
墓石本体１１は、直方体形状を有し、下面１１０と、上面１１１と、表面１１２とを有している。
【００３６】
下面１１０は、例えば故人のお墓に隣接する墓地と接している。
【００３７】
上面１１１には、筒落とし１３が設けられている。筒落とし１３には、花立筒１４が挿入されている。花立筒１４は、図示しない供花が内部に挿入可能に構成されている。
【００３８】
表面１１２中央部には、方形の穴部として凹部１１６が形成されている。
【００３９】
凹部１１６には、透明体１２が嵌め込まれている。これにより、透明体１２は、墓石１０に取り付けられている。
【００４０】
透明体１２は、厚みが増すことで透明度が変化するフロートガラス板である。
【００４１】
図２（Ａ）及び（Ｂ）に示されるように、透明体１２は、凹部１１６に嵌合する例えば直方体形状を有する。透明体１２は、表面１２０と、側面１２１と、裏面１２２と、有している。
【００４２】
この透明体１２は、表面１２０から裏面１２２までの板厚として、例えば略２０ｍｍ以上の厚みを有している。なお、図１に戻って、透明体１２は、凹部１１６の大きさと略同一或いは小さく形成されている。また、透明体１２は、凹部１１６の形状と略同一に形成されている。
【００４３】
図１及び図２（Ａ）に示されるように、表面１２０は、透明体１２が墓石１０に取り付けられた際に外側に位置する。この表面１２０の全体は、他の面とは異なり、曇りガラス状にされている。すなわち、表面１２０は、液体で濡れる前は他の何れかの面よりも透明度が低い状態にあり、液体で濡れると透明度が増すものである。具体的には、表面１２０は、側面１２１や裏面１２２よりも凹凸が多く形成されている。なお、図中では、曇りガラス状がグレースケールで表現されている。
【００４４】
図１に示されるように、側面１２１は、その少なくとも裏面１２２側の一部が墓石本体１１により覆われている。
【００４５】
図２（Ｂ）に示されるように、裏面１２２は、表面１２０に対向する。また、裏面１２２は、透明体１２が墓石１０に取り付けられた際に墓石本体１１の凹部１１６の底面と対向する（図５（Ｃ）参照）。この裏面１２２には、情報を表示する情報表示物１２４が設けられている。
【００４６】
ここで、上記情報は、文字、図形、記号、立体的形状若しくは色彩又はこれらの結合を含む。また、上記情報は、イラストや写真も含む。文字や記号の情報としては、墓参者宛のメッセージが挙げられる。このメッセージは、例えば故人から或いはその家族からのメッセージである。また、イラストや写真は、例えば人物の顔情報が描かれたものである。この顔情報は、例えば、故人や想定される墓参者の顔情報である。
また、上記表示の仕方としては、特に限定されないが、裏面１２２への彫刻や印字或いは印字物を張り合わせた物の表示が挙げられる。
本実施形態では、裏面１２２には、故人から墓参者宛のメッセージ１２４Ａとイラスト１２４Ｂを組み合わせた情報を表示する情報表示物１２４が彫刻されている。
【００４７】
図１及び図２（Ｂ）に示されるように、この情報表示物１２４は、表面１２０が曇りガラス状にされていることで表面１２０側から（表面１２０側から見たときに）遮蔽されている。なお、この「遮蔽」とは、完全な遮蔽のみならず、不完全な遮蔽も意味する。
【００４８】
図２（Ｂ）に示されるように、裏面１２２において少なくとも情報表示物１２４が設けられている部分には、覆い部材１２３が接着されている。本実施形態では、覆い部材１２３は、裏面１２２と同等或いは裏面１２２よりも大きな板材であり、裏面１２２全面に接着されている。
【００４９】
この覆い部材１２３は、例えば石製、樹脂製、又は、金属製である。また、覆い部材１２３において例えば裏面１２２と接着された面１２３Ａには、白色よりも明度の低い色である黒やグレーが着色されている。この面１２３Ａと対向する覆い部材１２３の面は、墓石本体１１の凹部１１６の底面に接着固定されている。
また、図２（Ａ）に示されるように、透明体１２が液体で濡れても当該液体が裏面１２２と面１２３Ａとの間に入り込まないように、側面１２１全体と覆い部材１２３の面１２３Ａには、コーキング１２５が塗布されている。特に、裏面１２２と面１２３Ａとの周囲は、他の部分よりも厚くコーキング１２５が塗布されていることが好ましい。
【００５０】
次に、図１及び図３を参照しながら、本発明の第１実施形態に係る作用について説明する。
【００５１】
図１に示されるように、表面１２０において少なくとも情報表示物１２４と対向する領域が曇りガラス状にされているので、当該領域が濡れていない場合、表面１２０側から見たときに情報表示物１２４が遮蔽され、墓参者により、曇りガラス状にされた領域に液体が掛けられると、当該領域の透明度が増して、領域と対向する裏面１２２まで透けて情報表示物１２４が見えるようになる。すなわち、墓参者が作法に従って墓石１０に液体をかけると、墓の故人があたかもそれに応えたかのように情報表示物１２４が現れる。よって、墓参者は、お墓の故人と何らかのコミュニケーションが取れたように感じることができる。また、墓石１０には墓参者により液体が掛けられる作法があるので、その作法により墓石１０と共に透明体１２の表面１２０も濡れることで、液体を掛けた墓参者だけに情報表示物１２４を視認させることができ、不特定の人物に情報表示物１２４が視認されることを抑制できる。なお、墓石１０に雨水が掛かった場合等も情報表示物１２４が表示される場合はある。雨の日は、墓参りはあまりされないのでこの点は問題にならないことも多いが、雨水等で情報表示物１２４が意図せず表示されることを抑制したい場合には、墓石１０に雨よけ等を設けるようにしてもよい。
【００５２】
また、本実施形態では、墓石１０に筒落とし１３や花立筒１４も設けられているので、作法だけでなく花立筒１４に供えられた供花のためにこれらに水を入れるという動作も促すことができる。この際、水が溢れ出すと表面１２０も濡れることになる。この結果、筒落とし１３や花立筒１４がない場合に比べて積極的に表面１２０を濡らすことができる。
【００５３】
また、表面１２０が乾くと、再び情報表示物１２４が表面１２０側から遮蔽され、情報表示物１２４が不特定の人物に視認されることを防ぐことができる。
【００５４】
また、墓参者であっても液体を掛けるまでは、曇りガラス状にされた表面１２０により情報表示物１２４を視認することができないので、墓参者が情報表示物１２４を視認できたときに意外性を持たせることができる。このように墓参者に意外性を持たせることができると、特定の人物に再びお墓参りに来てもらい、液体を掛けるという作法を促すことができる。
【００５５】
また、本実施形態によれば、透明体１２は厚みが増すことで透明度が変化するガラス板とされているので、その厚みを変化させて、情報表示物１２４の遮蔽性を高めることができる。
【００５６】
また、本実施形態によれば、裏面１２２において少なくとも情報表示物１２４が設けられている部分に覆い部材１２３が接着されているので、墓石１０に液体が掛けられたときに、透明体１２の表面１２０だけでなく裏面１２２まで濡れることを防ぐことができる。この結果、裏面１２２が液体に濡れて情報表示物１２４が透けて視認できなくなることを抑制することができる。
【００５７】
また、本実施形態によれば、覆い部材１２３を樹脂製や金属製とすると、覆い部材１２３がガラス板である場合に比べて、材料コストを安くすることができる。特に、覆い部材１２３を樹脂製とすると、覆い部材１２３に錆が生じず、その錆で透明体１２が汚れることを防止でき、また覆い部材１２３を含めた透明体１２全体の耐久性を向上できる。
【００５８】
また、本実施形態によれば、覆い部材１２３の面１２３Ａには、白色よりも明度の低い色が着色されているので、情報表示物１２４の背景が白色よりも明度の低い色となる。この結果、表面１２０が濡れた際の情報表示物１２４が際立ち、情報表示物１２４の視認性を高めることができる。
【００５９】
また、本実施形態では、情報表示物１２４が表示する情報は、墓参者宛のメッセージ１２４Ａを含むので、墓参者が、墓参者宛のメッセージを読むことで、お墓の故人と何らかのコミュニケーションが一層取れたように感じることができる。
さらに、墓参者宛のメッセージ１２４Ａは、不特定の人物には見せたくないものが多いものと考えられる。この点、本実施形態によれば、墓参者宛のメッセージ１２４Ａは、曇りガラス状にされた表面１２０側から遮蔽されるので、より一層墓参者だけに情報表示物を視認させることができる。また、情報表示物１２４が表示する情報に、人物の顔情報が含まれている場合も同様である。
【００６０】
また、本実施形態では、透明体１２が２０ｍｍ以上の厚みを有しているので、情報表示物１２４の遮蔽性をさらに高め、表面１２０側から情報表示物１２４が視認できなくなる。
【００６１】
また、本実施形態では、墓石本体１１により透明体１２の側面１２１も覆われるため、情報表示物１２４に光が意図しない方向から当たって情報表示物１２４の視認性が悪化すること抑制できる。
【００６２】
ここで、図４及び図５を参照しながら、上記第１実施形態に係る墓石１０の製造方法の一例について説明する。
【００６３】
まず、図４（Ａ）に示されるように、複数枚のガラス素材２０のフュージング工程を実施する。
【００６４】
具体的には、４ｍｍ厚のフュージング用のガラス板素材２０を５枚用意する。そして、これらのガラス板素材２０を重ねて型（不図示）に入れる。その後、この型ごとガラス板素材２０を電気炉或いはレンジ専用窯等の加熱器に入れて所定の温度で加熱してガラス板素材２０を溶融させるフュージングを行う。その後、型を加熱器から取り出して冷却することにより、図４（Ｂ）に示されるように、透明体１２として２０ｍｍ厚の１枚のフュージングガラス板を得る。
なお、型に当たってない面は型に当たっている面に比べて綺麗に仕上がっている。本実施形態では、得られた透明体１２の面のうち、型に当たっていた面（接触した面）を表面１２０とし、型に当たっていない面（非接触な面）を裏面１２２とする。
【００６５】
次に、図４（Ｃ）に示されるように、表面１２０の加工工程を実施する。
【００６６】
具体的には、得られた透明体１２を取り出し、型に当たっていた表面１２０を曇りガラス状に加工する。この加工には、例えばサンドブラストやエッチングを用いる。
【００６７】
次に、図５（Ａ）に示されるように、裏面１２２の加工工程を実施する。
【００６８】
具体的には、透明体１２の裏面１２２に、例えば「ありがとう」等の各種情報を彫刻する。この彫刻には、例えばサンドブラストを用いる。これにより、裏面１２２に情報表示物１２４が設けられる。彫刻の深さは、情報表示物１２４の表示が明確となるように例えば１ｍｍ以上とされる。
【００６９】
次に、図５（Ｂ）に示されるように、重ね工程を実施する。
【００７０】
具体的には、透明体１２の裏面１２２が濡れないようにしつつ、覆い部材１２３として例えばプラスチック板を裏面１２２と重ね、互いを不図示のコーキングで接着する。また、側面１２１全体と覆い部材１２３の面１２３Ａとにコーキング１２５を塗布する。
【００７１】
次に、図５（Ｃ）に示されるように、取付け工程を実施する。
【００７２】
具体的には、表面１２０が外側に位置するように、墓石本体１１の凹部１１６に透明体１２を嵌め込む。この埋め込みの際、コーキングにより墓石本体１１と透明体１２とを接着固定する。これにより、透明体１２は、墓石１０に取り付けられている。
【００７３】
以上の工程により、上記第１実施形態に係る墓石１０が得られる。
【００７４】
本実施形態によれば、フュージング工程で型に当たっていない綺麗な面を裏面１２２としているので、裏面１２２を加工することなく、情報表示物１２４を明確に表示することができる。一方で、型に当たっていた表面１２０は、裏面１２２に比べてざらざらとしているので、その表面１２０を曇りガラス状にする際、手間を低減することもできる。
【００７５】
＜第２実施形態＞
第２実施形態では、図６を参照しながら、透明体１２の取付先の変形例について説明する。すなわち、第１実施形態では透明体１２が墓石１０に取り付けられる場合を説明したが、第２実施形態では透明体１２が墓石１０以外に取り付けられる場合を説明する。
【００７６】
図６（Ａ）に示されるように、透明体１２は、例えば図示しない家屋或いは家屋に隣接する壁３０に取り付けられ、エクステリアとして用いることができる。この透明体１２は、例えば、表札、案内表示等として用いられる。したがって、図６（Ｂ）に示されるように、透明体１２の表面１２０が雨などで濡れると、表面１２０の奥まで透けて情報表示物１２４として氏名１２４Ｃが視認されるようになる。
【００７７】
本実施形態では、これら透明体１２及び壁３０の少なくとも何れか一方には、表面処理装置３００が設けられている。
【００７８】
表面処理装置３００は、曇りガラス状にされた表面１２０の透過度を上げる表面処理を行うものである。このような表面処理装置３００としては、例えば照明装置や水供給装置が挙げられる。図６（Ｂ）中では、表面処理装置３００として、透明体１２の表面側に配置された水供給装置が図示されている。なお、表面処理装置３００が照明装置である場合、覆い部材１２３を透明としつつ、この照明装置を透明体１２の裏面側に配置してもよい。この場合、照明装置は、覆い部材１２３を介して裏面１２２から表面１２０に向けて光を照射する。これにより、透明体表面１２０を液体で濡らさなくても情報表示物１２４を表示させることができる。表面処理装置３００の制御（水の供給や光の照射のタイミング、期間、水や光の強度等）は、表面処理装置３００に接続された情報処理装置で制御するようにしても良いし、又は、他の情報処理端末から通信回線等を通じて遠隔で操作するようにしてもよい。
【００７９】
以上、本実施形態によれば、表面処理装置３００を設けているので、表面処理装置３００が設けられていない第１実施形態に比べて、情報表示物１２４を任意の人物に積極的に視認させることができるようになる。
【００８０】
＜変形例＞
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【００８１】
例えば、第１実施形態では、透明体１２の表面１２０の全体が曇りガラス状にされている場合を説明したが、表面１２０において少なくとも情報表示物１２４と対向する領域が曇りガラス状とされていればよい。
【００８２】
また、上記実施形態では、透明体１２がフュージングガラス板で構成される場合を説明したが、単なる１枚のガラス板であってもよく、複層ガラス板であってもよい。また、透明体１２は、プラスチック板であってもよい。
【００８３】
また、第１実施形態では、透明体１２は、墓石本体１１に接着固定されて取り付けられる場合を説明したが、着脱自在に取り付けられていてもよい。
【００８４】
また、第１実施形態では、覆い部材１２３は、透明体１２の裏面１２２を覆う場合を説明したが、側面１２１も覆ってもよい。この場合、図１に示されるように側面１２１のうち表面１２０側が露出していても、情報表示物１２４に光が意図しない方向から当たって情報表示物１２４の視認性が悪化すること抑制できる。
【００８５】
また、第２実施形態で説明した表面処理装置３００は、第１実施形態で説明した墓石１０に適用してもよい。この場合、透明体１２の表面１２０に対して液体を掛けて濡らさなくても、表面処理装置３００を用いて、透明体１２の裏面１２２まで透けさせることができる。なお、表面処理装置３００が照明装置である場合、覆い部材１２３を透明とするとともに、照明装置を透明体１２の覆い部材１２３と墓石１０の凹部１１６との間に設け、覆い部材１２３を介して裏面１２２から表面１２０に向けて光を照射してもよい。
【００８６】
また、透明体１２は、墓石１０や壁３０に取り付ける場合を説明したが、花瓶、花壇、水族館内の設備など、水に濡れやすい物体に取り付けてもよい。また、透明体１２は、インテリアに取り付けてもよい。また、透明体１２は、道路や車体など他の物体に取り付けてもよい。透明体１２を車体に取り付ける場合、窓ガラスの一部として使用してもよい。また、透明体１２は、物体に取り付けず、単体で使用してもよい。
【００８７】
また、透明体１２を墓石１０に取り付ける場合、墓石１０の筒落とし１３や花立筒１４はなくてもかまわないし、墓石１０にその他の構造、機能を追加してもよいことはいうまでもない。
【００８８】
また、透明体１２をエクステリア又はインテリア等に取り付ける場合、雨に濡れているときと濡れていないとき又は表面処理装置３００により水や光が供給されているときと供給されていないとき等で情報表示物１２４の表示の有無を切り替えることができる。すなわち、透明体１２が取り付けられたエクステリア又はインテリアに、雨又は表面処理装置３００の動作を契機にして、動的な動きを付与することができる。エクステリアとしては、例えば建物のエントランスまでの人が通る道や建物周りにあるエスカレータ等が挙げられる。この場合、道やエスカレータにおいて人に視認され易い個所に透明体１２を取り付け、雨が降った際に、情報表示物１２４として雨の際に必要となる情報、例えば「すべり易いから気を付けて下さい。」等の文章が表れるようにしてもよい。
【００８９】
また、上記実施形態では、墓石１０の製造方法として、表面１２０の加工工程の次に裏面１２２の加工工程を行う場合を説明したが、表面１２０の加工工程の前に裏面１２２の加工工程を行ってもよい。
【符号の説明】
【００９０】
１０：墓石
１１：墓石本体
１２：透明体
１３：筒落とし
１１６：凹部（穴部）
１２０：表面
１２２：裏面
１２３：覆い部材
１２４：情報表示物
【図１】
2017078323.tif 000003
【図２】
2017078323.tif 000004
【図３】
2017078323.tif 000005
【図４】
2017078323.tif 000006
【図５】
2017078323.tif 000007
【図６】
2017078323.tif 000008